(57)【特許請求の範囲】
【請求項１】
コンピュータに、
車両に搭載される撮影部によって道路の路面が撮影された画像と前記画像の撮影時刻とを対応付けて記憶する画像記憶部に記憶された画像上の路面から当該路面の異常領域を検出し、
前記撮影部によって撮影される画像上で前記車両の車輪が前記路面を通過する予定の軌跡か、もしくは前記車両の車輪が前記路面を通過した軌跡を記憶する軌跡記憶部に記憶された車輪の軌跡と、前記異常領域とが重複するか否かを判定し、
前記異常領域と前記車輪の軌跡とが重複すると判定された場合に、前記車両に搭載される加速度センサによって前記路面の走行時に計測された加速度と前記加速度の計測時刻とを対応付けて記憶する加速度記憶部に記憶された加速度のうち当該画像の撮影時刻に対応する計測時刻の加速度が所定の範囲外であるか否かを判定する
各処理を実行させることを特徴とする路面調査プログラム。
【請求項２】
前記コンピュータに、
前記加速度が所定の範囲外であると判定された場合に、少なくとも前記異常領域と前記車輪の軌跡とが重複する画像を、路面の劣化に関する情報を記憶する劣化情報記憶部に登録する処理をさらに実行させることを特徴とする請求項１に記載の路面調査プログラム。
【請求項３】
前記劣化情報記憶部に対する登録処理として、
前記異常領域と前記車輪の軌跡とが重複する画像に当該画像の撮影時刻に対応する計測時刻の加速度を関連付けて前記劣化情報記憶部に登録する処理を実行することを特徴とする請求項２に記載の路面調査プログラム。
【請求項４】
前記劣化情報記憶部に対する登録処理として、
前記異常領域と前記車輪の軌跡とが重複する画像に、前記車両に搭載される位置取得部によって取得された位置と前記位置の取得時刻とを対応付けて記憶する位置記憶部に記憶された位置のうち当該画像の撮影時刻に対応する取得時刻の位置を対応付けて前記劣化情報記憶部に登録する処理を実行することを特徴とする請求項２に記載の路面調査プログラム。
【請求項５】
前記コンピュータに、
前記異常領域と前記車輪の軌跡とが重複しないと判定された場合に、少なくとも前記異常領域が検出された画像を、路面の劣化の候補に関する情報を記憶する劣化候補情報記憶部に登録する処理をさらに実行させることを特徴とする請求項１に記載の路面調査プログラム。
【請求項６】
車両に搭載される撮影部によって道路の路面が撮影された画像と前記画像の撮影時刻とを対応付けて記憶する画像記憶部と、
前記撮影部によって撮影される画像上で前記車両の車輪が前記路面を通過する予定の軌跡か、もしくは前記車両の車輪が前記路面を通過した軌跡を記憶する軌跡記憶部と、
前記車両に搭載される加速度センサによって前記路面の走行時に計測された加速度と前記加速度の計測時刻とを対応付けて記憶する加速度記憶部と、
前記画像記憶部に記憶された画像上の路面から当該路面の異常領域を検出する異常領域検出部と、
前記異常領域検出部によって検出された異常領域と、前記軌跡記憶部に記憶された車輪の軌跡とが重複するか否かを判定する重複判定部と、
前記重複判定部によって前記異常領域と前記車輪の軌跡とが重複すると判定された場合に、前記加速度記憶部に記憶された加速度のうち当該画像の撮影時刻に対応する計測時刻の加速度が所定の範囲外であるか否かを判定する加速度判定部と
を有することを特徴とする路面調査装置。
【発明の詳細な説明】
【技術分野】
【０００１】
本発明は、路面調査プログラム及び路面調査装置に関する。
【背景技術】
【０００２】
道路の舗装は、交通荷重や自然環境の作用によって劣化する。このため、路面性状測定車などの特殊な車両を走行させることによって道路の舗装状態が定期的に調査される。かかる調査によって道路の路面にへこみ、轍やひび割れが検出された場合には、道路の補修がなされる。
【先行技術文献】
【特許文献】
【０００３】
【特許文献１】特開２００１−１３４８８９号公報
【発明の概要】
【発明が解決しようとする課題】
【０００４】
しかしながら、上記の従来技術には、路面の劣化を早期に検出することができないという問題がある。
【０００５】
すなわち、上記の路面性状測定車は、高価かつ稀少なものであるので、路面の調査を高頻度に行うのは困難である。このため、路面の調査を路面性状測定車に依存したのでは、路面の劣化を早期に検出することはできない。この結果、路面の劣化の検出が遅れ、補修に要するコストが増大してしまうケースもある。
【０００６】
開示の技術は、上記に鑑みてなされたものであって、路面の劣化を早期に検出できる路面調査プログラム及び路面調査装置を提供することを目的とする。
【課題を解決するための手段】
【０００７】
本願の開示する路面調査プログラムは、コンピュータに、車両に搭載される撮影部によって道路の路面が撮影された画像と前記画像の撮影時刻とを対応付けて記憶する画像記憶部に記憶された画像上の路面から当該路面の異常領域を検出する処理を実行させる。さらに、前記コンピュータに、前記撮影部によって撮影される画像上で前記車両の車輪が前記路面を通過する予定の軌跡か、もしくは前記車両の車輪が前記路面を通過した軌跡を記憶する軌跡記憶部に記憶された車輪の軌跡と、前記異常領域とが重複するか否かを判定する処理を実行させる。さらに、前記コンピュータに、前記異常領域と前記車輪の軌跡とが重複すると判定された場合に、前記車両に搭載される加速度センサによって前記路面の走行時に計測された加速度と前記加速度の計測時刻とを対応付けて記憶する加速度記憶部に記憶された加速度のうち当該画像の撮影時刻に対応する計測時刻の加速度が所定の範囲外であるか否かを判定する処理を実行させる。
【発明の効果】
【０００８】
本願の開示する路面調査プログラムの一つの態様によれば、路面の劣化を早期に検出できるという効果を奏する。
【図面の簡単な説明】
【０００９】
【図１】図１は、実施例１に係る路面調査システムの構成を示す図である。
【図２】図２は、実施例１に係る簡易装置の機能的構成を示すブロック図である。
【図３】図３は、実施例１に係る路面調査装置の機能的構成を示すブロック図である。
【図４】図４は、車輪軌跡データの一例を示す図である。
【図５】図５は、閲覧データの記述に用いるタグの一例を示す図である。
【図６】図６は、閲覧データの構成例を示す図である。
【図７】図７は、道路画像の一例を示す図である。
【図８】図８は、道路画像の一例を示す図である。
【図９】図９は、道路画像の一例を示す図である。
【図１０】図１０は、サービス加入者端末へ送信する画面例を示す図である。
【図１１】図１１は、サービス加入者端末へ送信する画面例を示す図である。
【図１２】図１２は、実施例１に係る路面調査処理の手順を示すフローチャートである。
【図１３】図１３は、車輪軌跡データの変形例を示す図である。
【図１４】図１４は、実施例１及び実施例２に係る路面調査プログラムを実行するコンピュータの一例について説明するための図である。
【発明を実施するための形態】
【００１０】
以下に、本願の開示する路面調査プログラム及び路面調査装置の実施例を図面に基づいて詳細に説明する。なお、この実施例は開示の技術を限定するものではない。そして、各実施例は、処理内容を矛盾させない範囲で適宜組み合わせることが可能である。
【実施例１】
【００１１】
［システム構成］
まず、本実施例に係る路面調査システムの構成について説明する。図１は、実施例１に係る路面調査システムの構成を示す図である。図１に示す路面調査システム１は、パトロール車３に搭載される簡易装置３０によって道路の走行時に取得された画像及び加速度から路面の劣化を検出するものである。
【００１２】
この路面調査システム１には、図１に示すように、路面調査装置１０と、簡易装置３０と、サービス加入者端末５０とが収容される。なお、図１の例では、１つの簡易装置３０、１つのサービス加入者端末５０を収容する場合を例示したが、開示のシステムはこれに限定されず、任意の数の簡易装置及びサービス加入者端末が収容される場合に適用することができる。
【００１３】
これら路面調査装置１０、簡易装置３０及びサービス加入者端末５０の間は、ネットワーク７を介して通信可能に接続される。かかるネットワーク７には、有線または無線を問わず、インターネット、ＬＡＮ（Local  Area  Network）やＶＰＮ（Virtual  Private  Network）などの任意の通信網を採用できる。なお、路面調査装置１０及び簡易装置３０の間は、ネットワーク７経由だけでなく、メモリカード２０を介してデータの授受を行うこともできる。
【００１４】
このうち、簡易装置３０は、パトロール車３に搭載される車載機である。かかる簡易装置３０が搭載されるパトロール車３は、道路を巡回するために用いられる車両であり、軽自動車、普通自動車、大型自動車などの車両の大きさ、一般車両、業務車両、特殊車両などの使用用途、四輪、二輪などの車両の車輪数を問わず、任意の車種の自動車をパトロール車３に採用することができる。
【００１５】
かかる簡易装置３０には、後述の路面調査装置１０が路面の劣化を検出するための最小限のセンサ類が搭載される。例えば、簡易装置３０は、カメラ３１と、Ｇ（gravitation）センサ３２と、ＧＰＳ（Global  Positioning  System）ユニット３３とを有する。なお、図１の例では、簡易装置３０が３つのセンサ類を搭載する場合を例示するが、少なくともカメラ３１及びＧセンサ３２を搭載しておけば、後述の路面調査装置１０に路面の劣化を検出させることができる。
【００１６】
このうち、カメラ３１は、道路の路面を撮影可能な位置に取り付けられる。例えば、カメラ３１は、パトロール車３の前部の所定位置、例えば前部ナンバー周辺に取り付けることとしてもよいし、あるいはパトロール車３の後部の所定位置、例えば前部ナンバー周辺に取り付けることとしてもよい。また、Ｇセンサ３２及びＧＰＳユニット３３は、パトロール車３の任意の位置に取り付けることができる。このとき、パトロール車３のサスペンションによって車体の揺れが緩衝されない箇所にＧセンサ３２を設置した場合には、へこみ、轍やひび割れなどの路面の劣化以外の細かい揺れ、例えば小石や坂の傾斜がより大きな値で重力加速度が計測されることになる。このため、Ｇセンサ３２は、パトロール車３のサスペンションによって車体の揺れが緩衝される箇所に設置されるのが好ましい。なお、以下では、カメラ３１によって道路が撮影された画像のことを「道路画像」と呼ぶ場合がある。また、以下では、Ｇセンサ３２によって計測される重力加速度を含む加速度データおよびＧＰＳユニット３３によって測定される経度及び緯度の座標値を含む位置データのことを「センシングデータ」と総称する場合がある。
【００１７】
簡易装置３０は、荷台画像およびセンシングデータを路面調査装置１０へアップロードする。一態様としては、簡易装置３０は、センシングデータをネットワーク７を介してアップロードする一方で、道路画像についてはメモリカード２０を介してアップロードする。このように、メモリカード２０を介してアップロードを行う場合には、簡易装置３０は、複数の道路画像のフレームを含む動画の映像データをメモリカード２０へ書き込む。かかるメモリカード２０は、パトロール車３に搭乗していた調査員によって路面調査装置１０またはサービス加入者端末５０に持ち込まれ、路面調査装置１０またはサービス加入者端末５０に付設または内蔵されたカードリーダによって映像データが読み取られる。このとき、サービス加入者端末５０で映像データが読み取られた場合には、映像データがサービス加入者端末５０から路面調査装置１０へネットワーク７を介してアップロードされる。なお、メモリカード２０には、フラッシュメモリやＮＶＳＲＡＭ(Non  Volatile  Static  Random  Access  Memory)などのデータを書き換え可能な半導体メモリを採用できる。また、メモリカード２０の代わりに、ハードディスクや光ディスクなどの記憶装置を用いることもできる。
【００１８】
このように、パトロール車３に簡易装置３０を搭載する場合には、路面性状測定車のように、多数のレーダ変位計や多数のカメラを設置せずともよく、さらには、レーダ変位計やカメラで適応的な計測を行うための計測制御装置を設けずともよい。
【００１９】
なお、ここでは、道路画像をメモリカード２０を介してアップロードする場合を例示したが、センシングデータと同様に、ネットワーク７を介してアップロードすることとしてもかまわない。また、ネットワーク７を介して映像データやセンシングデータをアップロードする場合には、リアルタイムにアップロードすることとしてもよいし、バッチ処理でアップロードすることとしてもよい。
【００２０】
路面調査装置１０は、路面調査サービスを提供するサーバ装置である。かかる路面調査装置１０は、Ｗｅｂサーバとして実装することとしてもよいし、また、クラウドとして実装することもできる。一態様としては、路面調査装置１０は、簡易装置３０からアップロードされた映像データやセンシングデータを用いて、路面の劣化を検出する。その上で、路面調査装置１０は、後述のサービス加入者端末５０から劣化箇所の閲覧要求を受け付けた場合に、次のような情報をサービス加入者端末５０へ提供する。すなわち、路面調査装置１０は、路面の劣化が検出された道路画像を始め、その撮影に前後する重力加速度の変化や緯度及び経度の座標値などをサービス加入者端末５０へ提供する。
【００２１】
サービス加入者端末５０は、路面調査サービスに加入したサービス加入者によって使用される端末装置である。かかるサービス加入者端末５０の一態様としては、パーソナルコンピュータ（ＰＣ：Personal  Computer）を始めとする固定端末を採用できる。他の一態様としては、携帯電話機、ＰＨＳ（Personal  Handyphone  System）やＰＤＡ（Personal  Digital  Assistant）などの移動体端末を採用することもできる。
【００２２】
ここで、本実施例に係る路面調査装置１０は、カメラ３１によって撮影された道路画像上の路面から当該路面の舗装の異常領域を検出する。さらに、本実施例に係る路面調査装置１０は、先に検出した異常領域と、道路画像上でパトロール車３の車輪が路面を通過する予定の軌跡とが重複するか否かを判定する。さらに、本実施例に係る路面調査装置１０は、異常領域と車輪の軌跡とが重複する場合に、Ｇセンサ３２によって路面の走行時に計測された加速度のうち当該道路画像の撮影時刻に対応する計測時刻の加速度が所定の範囲外であるか否かを判定する。
【００２３】
このように、本実施例に係る路面調査装置１０では、少なくともカメラ３１によって撮影された道路画像およびＧセンサ３２によって計測された重力加速度が得られれば、路面の劣化を検出することができる。このため、本実施例に係る路面調査装置１０では、路面性状測定車のように、多数のレーダ変位計や多数のカメラを車両に設置せずともよく、さらには、レーダ変位計やカメラで適応的な計測を行うための計測制御装置を車両に設けずともよい。それゆえ、本実施例に係る路面調査装置１０では、パトロール車３の装備を安価かつ簡易に抑えることができるので、路面を高頻度に調査することができる。
【００２４】
したがって、本実施例に係る路面調査装置１０によれば、路面の劣化を早期に検出できる。さらに、本実施例に係る路面調査装置１０では、路面の劣化を早期に検出できるので、道路の補修に要するコストを抑制することもできる。
【００２５】
［簡易装置３０の構成］
続いて、本実施例に係る路面調査システムに含まれる簡易装置３０の機能的構成について説明する。図２は、実施例１に係る簡易装置３０の機能的構成を示すブロック図である。図２に示すように、簡易装置３０は、カメラ３１と、Ｇセンサ３２と、ＧＰＳユニット３３と、記憶部３４と、通信Ｉ／Ｆ（interface）部３５と、リーダライタ３６と、アップロード制御部３７とを有する。なお、簡易装置３０は、上記のセンサ類以外の他のセンサ、例えば車速センサや操舵角センサなどをさらに搭載することとしてもかまわない。
【００２６】
このうち、カメラ３１は、ＣＣＤ（Charge  Coupled  Device）やＣＭＯＳ（Complementary  Metal  Oxide  Semiconductor）などの撮像素子を用いて、画像を撮影する撮像装置である。一態様としては、カメラ３１は、所定のフレームレートで道路画像を撮影する度に、当該道路画像のフレームにその撮影時刻をヘッダ情報として埋め込むことによって道路画像と撮影時刻とを関連付けた上で後述の記憶部３４へ格納する。かかる撮影時刻は、道路画像の最初のフレームを起点とする経過時間とすることもできるし、タイムスタンプ等によって計測されたグローバルな時間を用いることとしてもかまわない。また、フレームレートは、道路画像のフレーム間で道路の同一箇所が一部重複して写る程度であればよく、例えば、２４ｆｐｓ（frame  per  second）、３０ｆｐｓ、６０ｆｐｓなどを採用できる。なお、以下では、図示しないエンコーダによって道路画像が動画の符号化データにエンコードされた映像データが後述の記憶部３４に格納されることとする。
【００２７】
Ｇセンサ３２は、重力加速度を計測するセンサである。一態様としては、Ｇセンサ３２は、重力加速度を計測する度に、当該重力加速度とその計測時刻とを対応付けた加速度データを後述の記憶部３４へ格納する。かかる加速度の計測方式には、半導体式を始め、機械式や光学式などの任意の方式を採用できる。なお、以下では、Ｇセンサ３２が重力加速度を１秒周期で計測する場合を想定するが、Ｇセンサ３２の計測周期はこれに限定されず、任意の周期で重力加速度が計測される場合に適用できる。また、ここでは、重力方向の加速度を計測するＧセンサ３２を搭載する場合を例示したが、Ｘ軸方向、Ｙ軸方向、Ｚ軸方向の加速度を測定する３軸加速度センサを採用することもできる。
【００２８】
ＧＰＳユニット３３は、複数のＧＰＳ衛星からの電波を受信して各々のＧＰＳ衛星との距離を割り出すことにより、緯度および経度などの座標値を測定するユニットである。一態様としては、ＧＰＳユニット３３は、緯度および経度の座標値を測定する度に、当該座標値とその測定時刻とを対応付けた位置データを後述の記憶部３４へ格納する。なお、以下では、ＧＰＳユニット３３が緯度および経度の座標値を１秒周期で測定する場合を想定するが、ＧＰＳユニット３３の測定周期はこれに限定されず、任意の周期で座標値が測定される場合に適用できる。
【００２９】
記憶部３４は、各種のデータを記憶する記憶デバイスである。かかる記憶部３４の一態様としては、フラッシュメモリやＮＶＳＲＡＭ(Non  Volatile  Static  Random  Access  Memory)などのデータを書き換え可能な半導体メモリの他、ハードディスクや光ディスクなどの記憶装置を採用できる。
【００３０】
例えば、記憶部３４は、映像データを始め、加速度データや位置データなどのセンシングデータを記憶する。この他、記憶部３４は、道路画像上でパトロール車３の車輪が路面を通過する予定の軌跡を表す車輪軌跡データを記憶する。かかる車輪軌跡データは、カメラ３１がパトロール車３に取り付けられた取り付け角度を用いて、道路画像上で車輪が通過すると予想される領域の大きさや位置をキャリブレーションすることによって設定される。
【００３１】
通信Ｉ／Ｆ部３５は、他の装置、例えば路面調査装置１０との間で通信制御を行うインタフェースである。例えば、通信Ｉ／Ｆ部３５は、記憶部３４に蓄積されたセンシングデータを路面調査装置１０へ送信する。かかる通信Ｉ／Ｆ部３５の一態様としては、ＬＡＮカードなどのネットワークインタフェースカード（ＮＩＣ：Network  Interface  Card）やモデムを採用できる。
【００３２】
なお、ここでは、センシングデータを通信Ｉ／Ｆ部３５を介して路面調査装置１０へ送信する場合を例示したが、必ずしも通信によるアップロードを実行する必要はない。例えば、センシングデータをメモリカード２０を介してアップロードすることもできる。この場合には、後述のアップロード制御部３７によってリーダライタ３６が制御され、センシングデータがメモリカード２０へ書き込まれる。
【００３３】
リーダライタ３６は、メモリカード２０内のデータの読み出し及びメモリカード２０に対するデータの書き込みを行う装置である。一態様としては、リーダライタ３６は、メモリカード２０が所定の位置に装着された状態で後述のアップロード制御部３７からの書き込み指示を受け付けると、記憶部３４に記憶された映像データとともに車輪軌跡データをメモリカード２０へ書き込む。
【００３４】
アップロード制御部３７は、路面調査装置１０へのアップロードを制御する処理部である。一態様としては、アップロード制御部３７は、Ｇセンサ３２やＧＰＳユニット３３によって加速度データや位置データなどのセンシングデータが記憶部３４に書き込まれる度に、通信Ｉ／Ｆ部３５を制御して、当該センシングデータを路面調査装置１０へ送信させる。また、アップロード制御部３７は、道路の調査員から映像データの書き込み操作を受け付けるか、あるいは記憶部３４における映像データの蓄積量が所定のデータサイズになった場合に、次のような処理を実行する。すなわち、アップロード制御部３７は、リーダライタ３６を制御して、記憶部３４に記憶された映像データとともに車輪軌跡データをメモリカード２０へ書き込ませる。このとき、アップロード制御部３７は、同一の車輪軌跡データを重複してアップロードしないように、カメラ３１の取り付け位置が変更された場合に限って車輪軌跡データをメモリカード２０へ書き込ませることとしてもよい。なお、アップロード制御部３７は、センシングデータを路面調査装置１０へ送信した場合や映像データをメモリカード２０へ書き込んだ場合に、アップロード済みのセンシングデータ及び映像データを記憶部３４から削除する。
【００３５】
なお、アップロード制御部３７には、各種の集積回路や電子回路を採用できる。例えば、集積回路としては、ＡＳＩＣ（Application  Specific  Integrated  Circuit）が挙げられる。また、電子回路としては、ＣＰＵ（Central  Processing  Unit）やＭＰＵ（Micro  Processing  Unit）などが挙げられる。
【００３６】
［路面調査装置１０の構成］
次に、本実施例に係る路面調査装置１０の機能的構成について説明する。図３は、実施例１に係る路面調査装置１０の機能的構成を示すブロック図である。図３に示すように、路面調査装置１０は、リーダライタ１１と、通信Ｉ／Ｆ部１２と、記憶部１３と、制御部１５とを有する。
【００３７】
このうち、リーダライタ１１は、メモリカード２０内のデータの読み出し及びメモリカード２０に対するデータの書き込みを行う装置である。一態様としては、リーダライタ１１は、メモリカード２０が所定の位置に装着された状態で後述の登録部１５ａからの読み取り指示を受け付けると、メモリカード２０に記憶された映像データとともに、車輪軌跡データを読み出す。そして、リーダライタ１１は、映像データ及び車輪軌跡データを後述の登録部１５ａへ出力する。
【００３８】
通信Ｉ／Ｆ部１２は、他の装置、例えば簡易装置３０やサービス加入者端末５０との間で通信制御を行うインタフェースである。例えば、通信Ｉ／Ｆ部１２は、簡易装置３０からセンシングデータを受信したり、道路の調査員に閲覧させる閲覧データをサービス加入者端末５０へ送信したりする。かかる通信Ｉ／Ｆ部１２の一態様としては、ＬＡＮカードなどのネットワークインタフェースカードを採用できる。
【００３９】
記憶部１３は、フラッシュメモリなどの半導体メモリ素子、ハードディスク、光ディスクなどの記憶装置である。なお、記憶部１３は、上記の種類の記憶装置に限定されるものではなく、ＲＡＭ（Random  Access  Memory)、ＲＯＭ（Read  Only  Memory)であってもよい。
【００４０】
記憶部１３は、制御部１５で実行されるＯＳ（Operating  System）や路面を調査する路面調査プログラムなどの各種プログラムを記憶する。さらに、記憶部１３は、制御部１５で実行されるプログラムの実行に必要なデータの一例として、映像データ１３ａと、センシングデータ１３ｂと、車輪軌跡データ１３ｃと、閲覧データ１３ｄとを記憶する。
【００４１】
映像データ１３ａは、パトロール車３に搭載されるカメラ３１によって道路が撮影された映像データである。一例として、映像データ１３ａは、リーダライタ１１によってメモリカード２０から読み取られた映像データが後述の登録部１５ａによってパトロール車３の車両番号別に登録される。他の一例として、映像データ１３ａは、道路画像上で路面の舗装に変色等の異常がある領域を検出するために、後述の異常領域検出部１５ｂによって参照される。
【００４２】
センシングデータ１３ｂは、パトロール車３に搭載されるセンサ類によって取得された加速度データや位置データを含むデータである。一例として、センシングデータ１３ｂは、簡易装置３０から受信したセンシングデータが後述の登録部１５ａによってパトロール車３の車両番号別に登録される。他の一例として、センシングデータ１３ｂは、重力加速度に凹凸等の異常があるか否かを判定するために、後述の加速度判定部１５ｄによって参照される。
【００４３】
車輪軌跡データ１３ｃは、道路画像上でパトロール車３の車輪が路面を通過する予定の軌跡を表すデータである。一例として、車輪軌跡データ１３ｃは、簡易装置３０から受信した車輪軌跡データが後述の登録部１５ａによってパトロール車３の車両番号別に登録される。他の一例として、車輪軌跡データ１３ｃは、道路画像上で路面の舗装に変色等が検出された異常領域と、パトロール車３の車輪が路面を通過する予定の軌跡とが重複するか否かを判定するために、後述の重複判定部１５ｃによって参照される。
【００４４】
図４は、車輪軌跡データ１３ｃの一例を示す図である。図４の例では、パトロール車３の前方にカメラ３１が取り付けられている場合を想定する。図４に示す符号２００は、道路画像を指す。また、図４に示す符号２００Ｌ及び符号２００Ｒは、道路画像２００上でパトロール車３の車輪が路面を通過する予定の軌跡を指す。なお、車輪軌跡データ１３ｃは、カメラ３１がパトロール車３に取り付けられた取り付け角度を用いて、道路画像上で左右の車輪が通過する予定と予想される領域の大きさや位置をキャリブレーションすることによって設定される。
【００４５】
図４に示すように、道路画像２００上でパトロール車３の左車輪が路面を通過すると予想される軌跡２００Ｌと、パトロール車３の右車輪が路面を通過すると予想される軌跡２００Ｒとの２つの領域が車輪軌跡データ１３ｃとして定義されている。なお、図４の例では、軌跡２００Ｌ及び軌跡２００Ｒの水平方向の幅が固定されている場合を図示したが、道路画像２００内の消失点に近づくほど水平方向の幅が小さくなるように軌跡２００Ｌ及び軌跡２００Ｒが定義されるのが好ましい。
【００４６】
閲覧データ１３ｄは、道路の調査員に閲覧させるための各種データである。一例として、パトロール車３の車輪が道路画像上で路面の舗装に変色が検出された異常領域を通過すると予想されるタイミングで重力加速度に凹凸等の異常が検出された場合に、道路の調査員が補修の要否を確認するための劣化データが生成される。すなわち、路面の舗装に変色等の異常が検出された道路画像を始め、その道路画像の撮影に前後する重力加速度の変化や緯度及び経度の座標値が対応付けられた劣化データが閲覧データとして後述の生成部１５ｅによって生成される。他の一例として、道路画像上で路面の舗装に変色が検出されたとしても、その異常領域がパトロール車３の車輪の通過が予想される軌跡との間で重複しない場合に、次回のパトロール車３の巡回で調査を促す劣化候補データが生成される。すなわち、路面の舗装に変色等の異常が検出された道路画像を始め、その道路画像の撮影に前後する重力加速度の変化や緯度及び経度の座標値が対応付けられた劣化候補データが閲覧データとして後述の生成部１５ｅによって生成される。
【００４７】
図５は、閲覧データの記述に用いるタグの一例を示す図である。図５に示すように、閲覧データ１３ｄの記述には、「caption」、「date」及び「pointData」の３つのタグが使用される。このうち、「caption」は、データの注釈の記述に用いるタグである。「date」は、映像データの撮影開始日時の記述に用いるタグである。「pointData」は、路面の劣化が検出されたポイントに関する各種情報の記述に用いるタグである。また、「pointData」は、「mark」、「lat」、「lng」、「movie」、「frame」や「Gv」を含む６つの下位のタグにさらに階層化されている。このうち、「mark」は、閲覧データが補修確認用の劣化データであるのか、あるいは次回調査用の劣化候補データであるのかを記述するのに用いるタグである。「lat」は、緯度の座標値を記述するのに用いるタグである。「lng」は、経度の座標値を記述するのに用いるタグである。「movie」は、映像データのファイル名を記述するのに用いるタグである。「frame」は、道路画像の撮影時刻を記述するのに用いるタグである。「Gv」は、Ｇセンサに関する各種情報の記述に用いるタグである。また、「Gv」は、「time」や「gdata」を含む２つの下位のタグにさらに階層化されている。このうち、「time」は、Ｇセンサが重力加速度を計測した計測時刻を記述するのに用いるタグである。「gdata」は、Ｇセンサが計測した重力加速度を記述するのに用いるタグである。
【００４８】
図６は、閲覧データの構成例を示す図である。図６の例では、２０１１年１２月７日に３号車のパトロール車３によって経路ａが巡回された閲覧データ１３ｄであることを示す。さらに、図６に示す一番上の「PointData」は、パトロール車３の車輪が道路画像上で路面の舗装に変色が検出された異常領域を通過すると予想されるタイミングで重力加速度に凹凸等の異常が検出された補修確認用の劣化データであることを示す。さらに、図６に示す一番上の「PointData」は、路面の劣化が検出された道路画像が緯度「３３度２３分３８２秒」及び経度「１３１度６０分６１２秒」の位置で撮影されたことを示す。さらに、図６に示す一番上の「PointData」は、道路画像が収録された映像データのファイル名が「b2.flv」であることを示す。さらに、図６に示す一番上の「PointData」は、路面の劣化が検出された道路画像の撮影時刻が「１２時５５分４５秒」であることを示す。さらに、図６に示す一番上の「PointData」は、パトロール車３の車輪が道路画像上で路面の舗装に変色が検出された異常領域を通過すると予想される時点の前後の３分間「１２時５５分４５秒〜１２時５８分４５秒」で次のように重力加速度が計測されていることを示す。すなわち、１２時５５分４５秒から１秒ごとに重力加速度が０．９８７６ｃｍ／ｓ２、１．２６５４ｃｍ／ｓ２、０．９９１２ｃｍ／ｓ２、・・・と変化していることを示す。なお、図６の例では、カメラ３１がパトロール車３の前部に取り付けられる場合を想定し、路面の劣化が検出された道路画像の撮影時刻から３分間にわたる重力加速度の変化が関連付けられる場合を例示している。
【００４９】
制御部１５は、各種の処理手順を規定したプログラムや制御データを格納するための内部メモリを有し、これらによって種々の処理を実行する。制御部１５は、図３に示すように、登録部１５ａと、異常領域検出部１５ｂと、重複判定部１５ｃと、加速度判定部１５ｄと、生成部１５ｅと、提供部１５ｆとを有する。
【００５０】
このうち、登録部１５ａは、簡易装置３０からアップロードされる映像データ、車輪軌跡データ及びセンシングデータを記憶部１３へ登録する処理部である。一態様としては、登録部１５ａは、リーダライタ１１によってメモリカード２０から映像データが読み取られた場合に、映像データをパトロール車３の車両番号別に記憶部１３へ登録する。他の一態様としては、登録部１５ａは、リーダライタ１１によってメモリカード２０から車輪軌跡データが読み取られた場合に、車輪軌跡データをパトロール車３の車両番号別に記憶部１３へ登録する。更なる一態様としては、登録部１５ａは、簡易装置３０からセンシングデータを受信した場合に、当該センシングデータをパトロール車３の車両番号別に記憶部１３へ登録する。
【００５１】
異常領域検出部１５ｂは、映像データ１３ａを用いて、道路画像上の路面から当該路面の舗装の異常領域を検出する処理部である。
【００５２】
一態様としては、異常領域検出部１５ｂは、新規の映像データ１３ａが記憶部１３へ登録された場合に処理を起動する。まず、異常領域検出部１５ｂは、記憶部１３に記憶された映像データ１３ａに含まれる道路画像のフレームを順次読み出す。そして、異常領域検出部１５ｂは、当該道路画像のうち画像処理を実行する対象とする領域を特定する。例えば、異常領域検出部１５ｂは、道路画像内でカメラ３１の画角からキャリブレーションによって予め得られる消失点Ｖｐの高さＨ１の所定の割合、例えば２分の１の高さＨ２を算出する。そして、異常領域検出部１５ｂは、道路画像のうち先に算出した高さＨ２以下の高さの領域Ｅに絞って以降の画像処理を実行する。このように、画像処理の実行対象とする領域を限定するのは、道路画像上で消失点に近く、小さくしか映らない領域を画像処理の実行対象から除外するとともに、画像処理の演算量を削減するためである。なお、以下では、道路画像のうち高さＨ２以下の高さの領域のことを「画像処理の実行対象領域」と呼ぶ場合がある。
【００５３】
その上で、異常領域検出部１５ｂは、先に特定した画像処理の実行対象領域Ｅから路面の舗装に変色等があると推定できる異常領域を検出する。例えば、異常領域検出部１５ｂは、画像処理の実行対象領域Ｅ内の各画素の彩度または色相の平均値を算出する。そして、異常領域検出部１５ｂは、各画素の彩度または色相の平均値との間で色差が所定の閾値Δａ以上である画素を抽出した上で色差が閾値Δａ以上である画素が連続する領域をラベリングする。かかるラベリングによって、異常領域検出部１５ｂは、アスファルトやセメントの色から変色したと推定できる異常領域を検出する。
【００５４】
重複判定部１５ｃは、車輪軌跡データ１３ｃを用いて、異常領域検出部１５ｂによって検出された異常領域と、パトロール車３の車輪が路面を通過する予定の軌跡とが重複するか否かを判定する処理部である。
【００５５】
一態様としては、重複判定部１５ｃは、異常領域を構成する画素の数、すなわち異常領域の面積を算出した上で当該異常領域の面積が所定の閾値Δｂ以上であるか否かを判定する。このとき、重複判定部１５ｃは、異常領域を構成する画素のうち消失点に近い画素ほど重みを大きくして異常領域の面積を算出することもできる。かかる面積の大きさを判定することによって、重複判定部１５ｃは、異常領域が路面のへこみ、轍やひび割れと推定できる大きさであるか否か、言い換えれば異常領域が小石等ではないか否かを判別する。
【００５６】
そして、異常領域の面積が所定の閾値Δｂ未満である場合には、異常領域が路面のへこみ、轍やひび割れなどである可能性が低いと推定できる。よって、重複判定部１５ｃは、以降の処理を実行しない。一方、異常領域の面積が所定の閾値Δｂ以上である場合には、異常領域が路面のへこみ、轍やひび割れなどである可能性が高いと推定できる。このため、重複判定部１５ｃは、当該異常領域を構成する画素の輝度の平均値が所定の閾値Δｃ以下であるか否かをさらに判定する。かかる輝度の大きさを判定することによって、重複判定部１５ｃは、路面に塗布された白線等の道路標示とは異なると推定できる程度に異常領域が黒いかどうかを判別できる。
【００５７】
ここで、重複判定部１５ｃは、異常領域を構成する画素の輝度の平均値が所定の閾値Δｃ以下である場合に、当該異常領域が車輪軌跡データ１３ｃによって定義されたパトロール車３の車輪の通過が予想される軌跡と重複するか否かをさらに判定する。かかる重複判定によって、当該道路画像以降のフレームでパトロール車３の車輪が異常領域上を通過するか否かを判別できる。このとき、重複判定部１５ｃは、路面の劣化と疑わしいサンプルは可及的に抽出する観点から、異常領域を構成する画素と車輪の予定軌跡とが１つの画素でも重複した場合には、両者が重複すると見做す。
【００５８】
加速度判定部１５ｄは、センシングデータ１３ｂを用いて、当該道路画像の撮影時刻に対応する計測時刻の加速度が所定の範囲Ｒ外であるか否かを判定する処理部である。加速度が所定の範囲Ｒ外であることは、車両が何かの段差を通過したことを示している。
【００５９】
一態様としては、加速度判定部１５ｄは、重複判定部１５ｃによって異常領域と車輪の予定軌跡とが重複すると判定された場合に、次のような処理を実行する。すなわち、加速度判定部１５ｄは、今回読み出した道路画像の撮影時刻を基点とし、道路画像のフレーム間のオプティカルフローから得られるパトロール車３の車速から、パトロール車３の車輪が異常領域を通過すると予想される時刻を含む加速度の監視対象区間を設定する。例えば、加速度判定部１５ｄは、道路画像の撮影時刻を監視対象区間の始端とし、パトロール車３の車速が遅いほど監視対象区間の終端までの長さを大きく設定する。なお、パトロール車３の車速は、オプティカルフローを用いずに、パトロール車３に搭載された図示しない車速センサから取得することとしてもかまわない。
【００６０】
その上で、加速度判定部１５ｄは、センシングデータ１３ｂのうち監視対象区間に対応する重力加速度の最大値及び最小値のいずれかが所定の範囲Ｒ外であるかを判定する。このとき、加速度判定部１５ｄは、パトロール車３の車速が遅いほど範囲Ｒを定める下限値及び上限値の差を大きくなるように範囲Ｒを動的に変更することもできる。かかる加速度の判定によって、加速度判定部１５ｄは、異常領域がへこみ、轍やひび割れなどの凹凸であるか否か、言い換えれば凹凸が少ない水たまりによる変色ではないかどうかを判別できる。
【００６１】
生成部１５ｅは、道路の調査員に閲覧させるための閲覧データを生成する処理部である。一態様としては、生成部１５ｅは、パトロール車３の車輪が道路画像上で路面の舗装に変色が検出された異常領域を通過すると予想されるタイミングで重力加速度に凹凸等の異常が検出された場合に、道路の調査員が補修の要否を確認するための劣化データを生成する。すなわち、生成部１５ｅは、路面の舗装に変色等の異常が検出された道路画像を始め、その道路画像の撮影に前後する重力加速度の変化や緯度及び経度の座標値が対応付けられた劣化データを閲覧データとして生成する。このとき、生成部１５ｅは、「PointData」の「mark」には「補修確認用の劣化データ」と記述する。さらに、生成部１５ｅは、「Gv」の「gdata」には道路画像の撮影時刻から所定の期間、例えば３分間の重力加速度の変化を記述する。
【００６２】
他の一態様としては、生成部１５ｅは、道路画像上で路面の舗装に変色が検出されたとしても、その異常領域がパトロール車３の車輪の通過が予想される軌跡との間で重複しない場合に、次回のパトロール車３の巡回で調査を促す劣化候補データを生成する。すなわち、路面の舗装に変色等の異常が検出された道路画像を始め、その道路画像の撮影に前後する重力加速度の変化や緯度及び経度の座標値が対応付けられた劣化候補データを閲覧データとして生成する。このとき、生成部１５ｅは、「PointData」の「mark」には「次回調査用の劣化候補データ」と記述する。なお、劣化候補データを生成する場合には、異常領域と車輪の予定軌跡とが重複していないので、「Gv」の「time」及び「gdata」のタグは記述しなくともかまわない。
【００６３】
ここで、図７〜図９を用いて、閲覧データの生成方法の具体例を説明する。図７〜図９は、道路画像の一例を示す図である。図７の例では、道路画像３００の撮影時刻ｔ１＜道路画像３１０の撮影時刻ｔ２＜道路画像３２０の撮影時刻ｔ３である場合を想定する。なお、図７に示す異常領域３００ａは、図８に示す道路画像３１０上で異常領域３１０ａとして映り、図９に示す道路画像３２０上で異常領域３２０ａとして映っている。また、図７に示す異常領域３００ｂは、図８に示す道路画像３１０上で異常領域３１０ｂとして映っている。
【００６４】
図７に示す道路画像３００の場合には、消失点Ｖｐの高さＨ１の２分の１の高さＨ２以下の領域が画像処理の実行対象領域Ｅとして異常領域検出部１５ｂによって特定される。この画像処理の実行対象領域Ｅには、異常領域３００ａ〜異常領域３００ｃのうち異常領域３００ｃしか含まれないので、異常領域３００ｃだけが異常領域検出部１５ｂによって検出される。かかる異常領域３００ｃは、パトロール車３の左右の車輪の通過が予想される軌跡３００Ｌ及び３００Ｒと重複しない。このように、異常領域３００ｃは、検出できるものの、異常領域３００ｃがへこみ、轍やひび割れなどの凹凸に起因するものであるのか、凹凸の少ない水たまりによる変色によるものであるのかは判別できない。よって、異常領域３００ｃは、次回の巡回時に調査する価値があるので、道路画像３００からは次回調査用の劣化候補データが生成される。
【００６５】
図８に示す道路画像３１０の場合にも、消失点Ｖｐの高さＨ１の２分の１の高さＨ２以下の領域が画像処理の実行対象領域Ｅとして異常領域検出部１５ｂによって特定される。この画像処理の実行対象領域Ｅには、異常領域３１０ａ〜異常領域３１０ｂのうち異常領域３１０ｂしか含まれないので、異常領域３１０ｂだけが異常領域検出部１５ｂによって検出される。かかる異常領域３１０ｂは、パトロール車３の左右の車輪の通過が予想される軌跡３１０Ｌ及び３１０Ｒのうち軌跡３１０Ｒと重複する。このとき、道路画像の撮影時刻に対応する計測時刻の加速度が所定の範囲Ｒ外であったとしたならば、異常領域３１０ｂがへこみ、轍やひび割れなどの凹凸に起因するものであると判別できる。よって、異常領域３１０ｂは、補修の要否の確認を促す価値があるので、道路画像３１０からは補修確認用の劣化データが生成される。
【００６６】
図９に示す道路画像３２０の場合にも、消失点Ｖｐの高さＨ１の２分の１の高さＨ２以下の領域が画像処理の実行対象領域Ｅとして異常領域検出部１５ｂによって特定される。この画像処理の実行対象領域Ｅには、異常領域３２０ａしか含まれないので、異常領域３２０ａだけが異常領域検出部１５ｂによって検出される。かかる異常領域３２０ａは、パトロール車３の左右の車輪の通過が予想される軌跡３２０Ｌ及び３２０Ｒのうち軌跡３２０Ｌと重複する。このとき、道路画像の撮影時刻に対応する計測時刻の加速度が所定の範囲Ｒ内であったとしたならば、異常領域３２０ａがへこみ、轍やひび割れなどの凹凸に起因するものではないかどうかを目視により確定する価値があると言える。よって、道路画像３２０からは、次回調査用の劣化候補データが生成される。
【００６７】
提供部１５ｆは、サービス加入者端末５０からの閲覧要求に応じて、閲覧データ１３ｄをサービス加入者端末５０へ提供する処理部である。一態様としては、提供部１５ｆは、サービス加入者端末５０から閲覧要求を受け付けると、予め設定された範囲、例えば管轄内の地域の地図情報にセンシングデータ１３ｂに含まれる位置データの座標位置をマッピングした地図画面を生成する。このとき、提供部１５ｆは、センシングデータ１３ｂに含まれる位置データの座標位置のうち、閲覧データ１３ｄに含まれる劣化データ及び劣化候補データに対応する座標位置を他の座標位置とは異なる表示態様でマッピングする。そして、提供部１５ｆは、劣化データ及び劣化候補データに対応する座標位置が異なる表示態様でマッピングされた地図画面をサービス加入者端末５０へ送信する。
【００６８】
図１０は、サービス加入者端末５０へ送信する画面例を示す図である。図１０に示すように、サービス加入者端末５０には、センシングデータ１３ｂに含まれる位置データの座標位置をマッピングした地図画面４００が表示される。この地図画面４００では、閲覧データ１３ｄに含まれる劣化データに対応する座標位置４００ａが黒の塗り潰しによって表示される。さらに、地図画面４００では、劣化候補データに対応する座標位置４００ｂが点の塗りつぶしによって表示される。
【００６９】
その後、提供部１５ｆは、サービス加入者端末５０によって地図画面上で劣化データまたは劣化候補データに対応する緯度及び経度の座標値が選択されると、道路画像、撮影時刻から所定の期間が経過するまでの重力加速度の変化及び地図画面を含む閲覧画面を生成してサービス加入者端末５０へ送信する。
【００７０】
図１１は、サービス加入者端末５０へ送信する画面例を示す図である。図１１に示すように、サービス加入者端末５０には、道路画像５１０、撮影時刻から所定の期間が経過するまでの重力加速度の変化５２０及び地図画面５４０を含む閲覧画面５００が表示される。この閲覧画面５００上の再生ボタン５３０ａが操作された場合には、例えば、異常領域が検出された道路画像の撮影時刻の１分半前から１分半後までの３分間の動画が再生される。かかる動画の再生中に、一時停止ボタン５３０ｂが操作された場合には動画を一時停止でき、停止ボタン５３０ｃが操作された場合には動画の再生を停止できる。このような閲覧画面５００の表示によって、道路の調査員は、補修を行った方がよい可能性が高い路面や次回の巡回で調査を行った方がよい可能性が高い路面を視覚的、数値的、さらには地理的に把握できる。重力加速度の変化５２０には現在表示されている動画の時刻を中心とした所定の時間範囲の画像が表示される。
【００７１】
［処理の流れ］
次に、本実施例に係る路面調査装置１０の処理の流れについて説明する。図１２は、実施例１に係る路面調査処理の手順を示すフローチャートである。この路面調査処理は、新規の映像データ１３ａが記憶部１３へ登録された場合に処理を起動する。
【００７２】
図１２に示すように、異常領域検出部１５ｂは、記憶部１３に記憶された映像データ１３ａに含まれる道路画像のフレームを順次読み出す（ステップＳ１０１）。そして、異常領域検出部１５ｂは、道路画像上の消失点をもとに画像処理の実行対象領域Ｅを特定する（ステップＳ１０２）。その上で、異常領域検出部１５ｂは、先に特定した画像処理の実行対象領域Ｅから路面の舗装に変色等があると推定できる異常領域を検出する（ステップＳ１０３）。
【００７３】
そして、異常領域が存在する場合（ステップＳ１０４肯定）には、重複判定部１５ｃは、異常領域を構成する画素の数、すなわち異常領域の面積を算出した上で当該異常領域の面積が所定の閾値Δｂ以上であるか否かを判定する（ステップＳ１０５）。
【００７４】
このとき、異常領域が存在しない場合（ステップＳ１０４否定）または異常領域の面積が所定の閾値Δｂ未満である場合（ステップＳ１０５否定）には、異常領域が路面のへこみ、轍やひび割れなどである可能性が低いと推定できる。よって、以降のステップＳ１０６〜ステップＳ１１０までの処理をとばし、ステップＳ１１１の処理へ移行する。
【００７５】
一方、異常領域の面積が所定の閾値Δｂ以上である場合（ステップＳ１０５肯定）には、異常領域が路面のへこみ、轍やひび割れなどである可能性が高いと推定できる。このため、重複判定部１５ｃは、当該異常領域を構成する画素の輝度の平均値が所定の閾値Δｃ以下であるか否かをさらに判定する（ステップＳ１０６）。
【００７６】
そして、異常領域を構成する画素の輝度の平均値が所定の閾値Δｃ以下である場合（ステップＳ１０６肯定）には、重複判定部１５ｃは、次のような処理を実行する。すなわち、重複判定部１５ｃは、当該異常領域が車輪軌跡データ１３ｃによって定義されたパトロール車３の車輪の通過が予想される軌跡と重複するか否かをさらに判定する（ステップＳ１０７）。なお、異常領域を構成する画素の輝度の平均値が所定の閾値Δｃを超過する場合（ステップＳ１０６否定）にも、以降のステップＳ１０６〜ステップＳ１１０までの処理をとばし、ステップＳ１１１の処理へ移行する。
【００７７】
続いて、異常領域と車輪の予定軌跡とが重複する場合（ステップＳ１０７肯定）には、加速度判定部１５ｄは、センシングデータ１３ｂを用いて、次のような処理を実行する。すなわち、加速度判定部１５ｄは、当該道路画像の撮影時刻に対応する計測時刻の加速度が所定の範囲Ｒ外であるか否かを判定する（ステップＳ１０８）。
【００７８】
ここで、道路画像の撮影時刻に対応する計測時刻の加速度が所定の範囲Ｒ外である場合（ステップＳ１０８肯定）には、生成部１５ｅは、次のような処理を実行する。すなわち、生成部１５ｅは、路面の調査員が補修の要否を確認するための劣化データを生成した上で記憶部１３へ登録する（ステップＳ１０９）。
【００７９】
一方、異常領域と車輪の予定軌跡とが重複しない場合（ステップＳ１０７否定）または道路画像の撮影時刻に対応する計測時刻の加速度が所定の範囲Ｒ外ではない場合（ステップＳ１０８否定）には、生成部１５ｅは、次のような処理を実行する。すなわち、生成部１５ｅは、次回のパトロール車３の巡回で調査を促す劣化候補データを生成した上で記憶部１３へ登録する（ステップＳ１１０）。
【００８０】
その後、全てのフレームについて路面の調査が終了するまで（ステップＳ１１１否定）、路面調査装置１０は、ステップＳ１０１〜ステップＳ１１０までの処理を繰り返し実行する。そして、全てのフレームについて路面の調査が終了すると（ステップＳ１１１肯定）、処理を終了する。
【００８１】
［実施例１の効果］
上述してきたように、本実施例に係る路面調査装置１０では、少なくともカメラ３１によって撮影された道路画像およびＧセンサ３２によって計測された重力加速度が得られれば、路面の劣化を検出することができる。このため、本実施例に係る路面調査装置１０では、路面性状測定車のように、多数のレーダ変位計や多数のカメラを車両に設置せずともよく、さらには、レーダ変位計やカメラで適応的な計測を行うための計測制御装置を車両に設けずともよい。それゆえ、本実施例に係る路面調査装置１０では、パトロール車３の装備を安価かつ簡易に抑えることができるので、路面を高頻度に調査することができる。
【００８２】
したがって、本実施例に係る路面調査装置１０によれば、路面の劣化を早期に検出できる。さらに、本実施例に係る路面調査装置１０では、路面の劣化を早期に検出できるので、道路の補修に要するコストを抑制することもできる。
【実施例２】
【００８３】
さて、これまで開示の装置に関する実施例について説明したが、本発明は上述した実施例以外にも、種々の異なる形態にて実施されてよいものである。そこで、以下では、本発明に含まれる他の実施例を説明する。
【００８４】
［カメラの取り付け位置］
例えば、上記の実施例１では、パトロール車３の前部にカメラ３１を取り付ける場合を例示したが、パトロール車３の後部の所定位置、例えば前部ナンバー周辺にカメラ３１を取り付けることとしてもよい。
【００８５】
図１３は、車輪軌跡データ１３ｃの変形例を示す図である。図１３の例では、パトロール車３の後方にカメラ３１が取り付けられている場合を想定する。図１３に示す符号６００は、道路画像を指す。また、図１３に示す符号６００Ｌ及び符号６００Ｒは、道路画像６００上でパトロール車３の車輪が路面を通過した軌跡を指す。なお、車輪軌跡データ１３ｃは、カメラ３１がパトロール車３に取り付けられた取り付け角度を用いて、道路画像上で左右の車輪が通過する領域の大きさや位置をキャリブレーションすることによって設定される。
【００８６】
図１３に示すように、道路画像６００上でパトロール車３の左車輪が路面を通過する軌跡６００Ｌと、パトロール車３の右車輪が路面を通過する軌跡６００Ｒとの２つの領域が車輪軌跡データ１３ｃとして定義されている。このように、パトロール車３の後方にカメラ３１を取り付けた場合には、開示の装置は、異常領域が軌跡６００Ｌ及び軌跡６００Ｒと重複するか否かを判定することによって同様に路面の調査を行うことができる。
【００８７】
［分散および統合］
また、図示した各装置の各構成要素は、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、登録部１５ａ、異常領域検出部１５ｂ、重複判定部１５ｃ、加速度判定部１５ｄ、生成部１５ｅまたは提供部１５ｆを路面調査装置１０の外部装置としてネットワーク経由で接続するようにしてもよい。また、登録部１５ａ、異常領域検出部１５ｂ、重複判定部１５ｃ、加速度判定部１５ｄ、生成部１５ｅまたは提供部１５ｆを別の装置がそれぞれ有し、ネットワーク接続されて協働することで、上記の路面調査装置１０の機能を実現するようにしてもよい。
【００８８】
［路面調査プログラム］
また、上記の実施例で説明した各種の処理は、予め用意されたプログラムをパーソナルコンピュータやワークステーションなどのコンピュータで実行することによって実現することができる。そこで、以下では、図１４を用いて、上記の実施例と同様の機能を有する路面調査プログラムを実行するコンピュータの一例について説明する。
【００８９】
図１４は、実施例１及び実施例２に係る路面調査プログラムを実行するコンピュータの一例について説明するための図である。図１４に示すように、コンピュータ１００は、操作部１１０ａと、スピーカ１１０ｂと、カメラ１１０ｃと、ディスプレイ１２０と、通信部１３０とを有する。さらに、このコンピュータ１００は、ＣＰＵ１５０と、ＲＯＭ１６０と、ＨＤＤ１７０と、ＲＡＭ１８０と有する。これら１１０〜１８０の各部はバス１４０を介して接続される。
【００９０】
ＨＤＤ１７０には、図１４に示すように、上記の実施例１で示した登録部１５ａ、異常領域検出部１５ｂ、重複判定部１５ｃ、加速度判定部１５ｄ、生成部１５ｅ及び提供部１５ｆと同様の機能を発揮する路面調査プログラム１７０ａが予め記憶される。この路面調査プログラム１７０ａについては、図３に示した各々の登録部１５ａ、異常領域検出部１５ｂ、重複判定部１５ｃ、加速度判定部１５ｄ、生成部１５ｅ及び提供部１５ｆの各構成要素と同様、適宜統合又は分離しても良い。すなわち、ＨＤＤ１７０に格納される各データは、常に全てのデータがＨＤＤ１７０に格納される必要はなく、処理に必要なデータのみがＨＤＤ１７０に格納されれば良い。
【００９１】
そして、ＣＰＵ１５０が、路面調査プログラム１７０ａをＨＤＤ１７０から読み出してＲＡＭ１８０に展開する。これによって、図１４に示すように、路面調査プログラム１７０ａは、路面調査プロセス１８０ａとして機能する。この路面調査プロセス１８０ａは、ＨＤＤ１７０から読み出した各種データを適宜ＲＡＭ１８０上の自身に割り当てられた領域に展開し、この展開した各種データに基づいて各種処理を実行する。なお、路面調査プロセス１８０ａは、図３に示した登録部１５ａ、異常領域検出部１５ｂ、重複判定部１５ｃ、加速度判定部１５ｄ、生成部１５ｅ及び提供部１５ｆにて実行される処理、例えば図１２に示す処理を含む。また、ＣＰＵ１５０上で仮想的に実現される各処理部は、常に全ての処理部がＣＰＵ１５０上で動作する必要はなく、処理に必要な処理部のみが仮想的に実現されれば良い。
【００９２】
なお、上記の路面調査プログラム１７０ａについては、必ずしも最初からＨＤＤ１７０やＲＯＭ１６０に記憶させておく必要はない。例えば、コンピュータ１００に挿入されるフレキシブルディスク、いわゆるＦＤ、ＣＤ−ＲＯＭ、ＤＶＤディスク、光磁気ディスク、ＩＣカードなどの「可搬用の物理媒体」に各プログラムを記憶させる。そして、コンピュータ１００がこれらの可搬用の物理媒体から各プログラムを取得して実行するようにしてもよい。また、公衆回線、インターネット、ＬＡＮ、ＷＡＮなどを介してコンピュータ１００に接続される他のコンピュータまたはサーバ装置などに各プログラムを記憶させておき、コンピュータ１００がこれらから各プログラムを取得して実行するようにしてもよい。
【符号の説明】
【００９３】
１    路面調査システム
３    パトロール車
７    ネットワーク
１０    路面調査装置
１１    リーダライタ
１２    通信Ｉ／Ｆ部
１３    記憶部
１３ａ  映像データ
１３ｂ  センシングデータ
１３ｃ  車輪軌跡データ
１３ｄ  閲覧データ
１５    制御部
１５ａ  登録部
１５ｂ  異常領域検出部
１５ｃ  重複判定部
１５ｄ  加速度判定部
１５ｅ  生成部
１５ｆ  提供部
２０    メモリカード
３０    簡易装置
３１    カメラ
３２    Ｇセンサ
３３    ＧＰＳユニット
３４    記憶部
３５    通信Ｉ／Ｆ部
３６    リーダライタ
３７    アップロード制御部
５０    サービス加入者端末
【図１】
0005776546.tif 000002
【図２】
0005776546.tif 000003
【図３】
0005776546.tif 000004
【図４】
0005776546.tif 000005
【図５】
0005776546.tif 000006
【図６】
0005776546.tif 000007
【図７】
0005776546.tif 000008
【図８】
0005776546.tif 000009
【図９】
0005776546.tif 000010
【図１０】
0005776546.tif 000011
【図１１】
0005776546.tif 000012
【図１２】
0005776546.tif 000013
【図１３】
0005776546.tif 000014
【図１４】
0005776546.tif 000015